(57)【特許請求の範囲】
【請求項１】
同一直径の円形のフランジ部を有する円形容器及び円形蓋部を、
封緘する為の切込み部を有する封緘シートであって、
当該切込み部は長辺と短辺を有するものであり、
フランジ部外周に接して内包するように正方形を作成した場合において、
前記切込み部の長辺を、
前記作成した正方形から任意に選択した向かい合った二辺よりも内側の位置に設け、
かつ、
前記選択した向かい合った二辺と略平行になるようにし、
前記フランジ部外周に接して内包するように作成した正方形の一辺の長さをＺ、
前記円形容器の胴部外周に接して内包するように作成した正方形の一辺の長さをＹとし、
略平行に設けた切込み部短辺中央線間の距離をＸとした場合に、
Ｙ≦Ｘ≦Ｚの関係になるように切込み部を設けたことを特徴とする封緘シート。
【発明の詳細な説明】
【技術分野】
【０００１】
本発明は、フランジ付き容器の封緘シートに関する。  
更に詳しくは、蓋部と容器本体から形成されるフランジ付き容器を封緘し、再封緘出来ない構造になった封緘シートに関する。
【背景技術】
【０００２】
従来から、フランジ付き容器を封緘する方法として、蓋部のみ、或いは、蓋部を含む容器全体をシュリンク包装により封緘する方法、蓋部を封緘シールや留め具等により封緘する方法が行われてきた。
【０００３】
しかしながら、シュリンク包装や封緘シールにより封緘する方法では、フランジ付き容器が、ネジ構造のない蓋であった場合、充分に封緘出来ない、輸送途中等にシュリンク包装等が破れる等の問題点があった。
蓋部を留め具等で封緘する場合には、再封緘が可能であるので、不正行為を防ぐことが出来なかった。
【０００４】
一方、ヨーグルト等のフランジ付き容器を複数個まとめて集積包装する方法として、一枚のシートの一部に切込み部を設け、本切込み部にフランジ部を差込む構造のホルダーが提案されている（特許文献１、２、３）
【０００５】
しかしながら、これらは、単にフランジ付き容器がバラバラになることを防いでいるだけに過ぎず、ネジ構造のない蓋を封緘したり、異物混入などの不正行為を防止することは考慮されていない。
【先行技術文献】
【特許文献】
【０００６】
【特許文献１】実開昭５７−１６７０６１号公報
【特許文献２】特表２００４−５３８２１６号公報
【特許文献３】特開２００７−２６９３３４号公報
【発明の開示】
【発明が解決しようとする課題】
【０００７】
本発明は上記の背景技術に鑑みてなされたものであって、本発明の目的は、フランジ付き容器を容易に封緘出来、異物混入などの不正行為を防止出来る封緘シートを提供することにある。
【課題を解決するための手段】
【０００８】
一枚のシートの特定の位置に、フランジ部の一部を差し込む為の切込み部を二箇所有することで、本発明を完成した。更には、本切込み部間の上部固定部に適宜折込み線を設けることで、様々な形状の蓋にも対応させることを可能にした。
【発明の効果】
【０００９】
本発明によれば、簡易な構造で、蓋部を容易に封緘することが出来、開封後は、容易にシートが解体されるか、開封痕が残る為、封緘シートを開封したことが容易に認識できるので、異物混入などの不正行為を防止することが可能になる。更には、本封緘シートに各種印刷を施すことにより、ＰＯＰ広告としての効果も期待出来る。
【発明を実施するための最良の形態】
【００１０】
以下、本発明に係る封緘シートを実施する為の最良の形態に関し、図面を参照して詳細に説明するが、本発明が以下の実施例に限定されるものでないことは、言うまでもない。
【００１１】
従来食品分野において、ヨーグルト等のフランジ付き容器を複数保持するホルダーが使用されている。これらは、本発明同様一枚のシートに、切込み部を２箇所平行に有する構造をしている。この点については、本願発明と同様である。本願発明と従来技術における相違点は、以下の点にある。
ヨーグルト等のホルダーは、シートを容器蓋部に設置した場合において、切込み部よりフランジ部が僅かに見える状態で係止し、上部固定部全面が容器蓋上部と接した状態になっている。つまり、ホルダーを設置した際に、ホルダーが撓まない状態になっている。言い換えれば、フラットな状態になっている。
これに対して、本願発明の切込み部２は、ヨーグルト等のホルダーと比較し、よりシート中央部近い位置に設けられている。その為、本願封緘シート１を容器に設置する場合には、一方の切込み部２にフランジ部６を係止した後、もう一方の切込み部２にフランジ部６を係止させる為には、係止させていない側のシート端部を引っ張って切込み部２にフランジ部６を係止させる必要がある。本位置関係によると封緘シート１の一部が容器側面と密着すると共に、封緘シート１が、元に戻ろうとする力が発生するので、容器本体１０と蓋部１１を固定することが可能になる。
それとは逆に、上部固定部３に撓みが生じるが、その撓みを用いて、蓋部１１を押圧し、封緘の補助具とすることも出来るし（図１）、ＰＯＰ広告として利用することも出来る（図に示さず）。
【００１２】
本発明に用いられる封緘シート１の形状は、容器の直径より広い幅を有すれば特に限定されない。生産性を考慮すると、正方形、長方形であることが望ましい。
【００１３】
本発明に用いられる封緘シート１の材質は、封緘性という面では、その目的を達成することが出来るのであれば特に限定されないが、封緘機能を高める為には、出来る限り柔らかいフィルムは避けることが好ましい。形状的にはフィルム状のものであれば良く、紙、ポリエチレン、ポリ塩化ビニル、ポリプロピレン、ポリスチレン、ポリ酢酸ビニル、ＡＢＳ樹脂、ＡＳ樹脂、アクリル樹脂、ＰＥＴ等の樹脂フィルムや、これらでラミネート加工したもの、ゴム等でも、封緘することが出来る。しかしながら、ゴム等の弾性体の場合は、その性質から復元が可能であるので、不正行為防止の面から望ましくない。
【００１４】
本発明に用いられる封緘シート１の厚みは、特に限定されない。厚すぎると封緘しづらいという問題点が生じる。概ね１ｍｍ以下が望ましく、好ましくは、０．２ｍｍ〜０．８ｍｍ。より好ましくは、０．３ｍｍ〜０．５ｍｍである。
【００１５】
本発明に用いられる封緘シート１における切込み部２の位置は、切込み部２にフランジ部６を係止させた際に、上部固定部３に撓みが生じる状態になる位置に設けられる。本位置に設けることにより、封緘シート１の一部が容器側面と密着すると共に、封緘シート１が、元に戻ろうとする力が発生するので、容器本体１０と蓋部１１を封緘することが可能になる。
具体的には、フランジ部６の外周２０に接して内包するように正方形２０Ｓを作成した場合に、当該正方形２０Ｓの向かい合った二辺よりも内側に切込み部２を二箇所設けることが望ましい。
更には、封緘される容器の胴部５の外周３０に接して内包するように正方形３０Ｓを作成した場合に、当該正方形３０Ｓの向かい合った二辺に接して、或いはそれより外側に切込み部２を設けると、封緘した際に、封緘シール１が被包装容器の胴部５に沿う形で封緘できるのでより好ましい。
更に詳しくは、図３に示す。外側の円が、フランジ部６の外周２０を示し、内側の円が容器の胴部５の外周３０を表している。切込み部２の中央線間の距離をＸ、容器の胴部５の外周３０に内包する正方形３０Ｓの一辺の長さをＹ、フランジ部６の外周２０に内包する正方形２０Ｓの一辺の長さをＺとすると、Ｙ≦Ｘ≦Ｚの関係になるように、切込み部２を設けると、充分な封緘能力と、密着感が得られ、最適である。
ここで言う容器の胴部５とは、フランジ部６の下の容器本体の側面を指す（図４（ａ））。尚、図４（ｂ）のような容器の場合は、フランジ部のすぐ下の傾斜部分ではなく、傾斜部分より下部で、実質的容器本体の側面を指す。図４（ｃ）のような容器の場合は、フランジ部６の下の容器本体の側面を指す。
【００１６】
前述のように、本封緘シートは、元の状態に戻ろうとする力を利用しているので、封緘状態を解く場合には、封緘シート１を破いて剥がすことになる。仮に、封緘シート１の端を摘まんでシールをめくるように剥がそうとしても、自然に封緘シート１の一部が破損してしまうので、一度開封したことが分かる。
よって、異物混入などの不正行為を防ぐことが出来る。
【００１７】
本発明に用いられる封緘シート１における折込み線４は、必須ではない。封緘する容器の蓋部１１の形状に合わせて適宜設けることが出来る。折込み線４を全く設けない場合には、撓んだ状態になるわけであるが、その部分を利用してＰＯＰ広告として利用することが可能である。折込み線４を設ける場合には、容器の大きさ、形状に合わせて、切込み部２と略直角になる位置に複数設けると、蓋部１１に封緘シート１が沿う形状になるので望ましい。
【００１８】
本発明に用いられる封緘シート１における切込み部２の形状は、容器本体１０と蓋部１１を係止することが可能な形であれば特に限定されない。容器本体１０と蓋部１１のフランジ部６の厚みにもよるが、直線、長方形、略ワ型などにすることが出来る（図６（ｄ）、（ｅ））。
【００１９】
本発明に用いられる封緘シート１における切込み部２の長さは、封緘するフランジ付き容器の大きさ、容器本体１０と蓋部１１のフランジ部６の厚みに合わせて適宜調整される（図３）。
【００２０】
以下に、実施例を挙げて本願発明の具体例を示すが、本願発明は本実施例に限定されるものではない。
【実施例１】
【００２１】
図２は、本願封緘シート１の平面図である。本願の封緘シート１は、シート状素材に、略平行な二本の切込み部２を設けた構造になっている。
例えば、図７のような凹状になったフランジ部６を有する蓋部１１と、容器本体１０からなる容器を封緘する場合には、封緘シート１に設けられた一方の切込み部２にフランジ部６を引っ掛ける。そのままの状態では、他方の切込み部２に他方のフランジ部６を引っ掛けることが出来ない。そこで、一方の切込み部２にフランジ部６を引っ掛けた状態で、反対方向に引っ張るようにして、他方の切込み部２に他方のフランジ部６を引っ掛け、封緘シート１を容器本体１０胴部５側に折り曲げるようにして封緘する。封緘すると、封緘シート１を折り曲げた部分は、容器本体１０の胴部５に沿うような形になる。この時、封緘シート１の上部固定部３が撓むことになるが、これを利用して、蓋部１１凹部方向に撓ませると、蓋部固定の補助具として利用することが出来る。
もっとも、蓋部が凸状である場合には、上部固定部を凸状にして使用すればよい（図に示さず）。
【実施例２】
【００２２】
図８は、実施例１同様、凹状になったフランジ部６を有する蓋部１１と、容器本体１０からなる容器を封緘した場合を示している。
本願発明の封緘シール１の上部固定部３に折込み線４を設けている。本折込み線４は、蓋部１１の形状に合わせて、適宜設けることが出来る。図５は、本折込み線４を４本設けた場合を示している。折込み線４を設けることで、封緘シート１の上部固定部３の外観が良くなるだけでなく、蓋部１１を面で押すことが出来るので、好適である。
【実施例３】
【００２３】
図９は、凸状になったフランジ部６を有する蓋部１１と、容器本体１０からなる容器を封緘した場合を示している。実施例２同様、蓋の形状に合わせて、そのまま（図に示さず）、或いは、適宜折り目線を設けて使用する。
【実施例４】
【００２４】
図１０は、天面がフラットになったフランジ部６を有する蓋部１１と、容器本体１０からなる容器を封緘した場合を示している。本願封緘シート１を使用すると、上部固定部３が撓んだ状態になる。この部分を利用し、ＰＯＰ広告として利用したり（図に示さず）、おまけ品４０を収納する部分として利用することが可能である。
【００２５】
当該封緘シート１は、円形のフランジ付き容器１２を想定して記載してきたが、略円形であれば良く、楕円状の容器に対しても、目的を達することが出来る。
【産業上の利用可能性】
【００２６】
本発明に用いられる封緘シート１は、フランジ部６を有する容器を封緘するシートとして利用することが出来る。特に、封緘性が高いので、ネジ構造を有しない蓋であっても充分に封緘が可能である。開封時には、容易に解体するので、再封緘が不可能であり、異物混入等の不正行為防止も可能である。
また、上部固定部の構造を利用することにより、ＰＯＰ広告として利用することも可能である。
【図面の簡単な説明】
【００２７】
【図１】実施例１の封緘シートを設置した状態のフランジ付き容器斜視図
【図２】封緘シートの平面図
【図３】封緘シートの切込み部とフランジ付き容器との位置関係を示す図
【図４】フランジ付き容器の胴部の位置を示す図
【図５】実施例２の折り目線付き封緘シートの平面図
【図６】切込み部２の形状のバリエーションを示す図
【図７】実施例１の封緘シートを設置した状態のフランジ付き容器Ａ−Ａ断面図
【図８】実施例２の封緘シートを設置した状態のフランジ付き容器Ａ−Ａ断面図
【図９】実施例３の封緘シートを設置した状態のフランジ付き容器Ａ−Ａ断面図
【図１０】実施例４の封緘シートを設置した状態のフランジ付き容器Ａ−Ａ断面図
【符号の説明】
【００２８】
１. 封緘シート
２．切込み部
３．上部固定部
４．折込み線
５．胴部
６．フランジ部
１０.容器本体
１１．蓋部
１２．フランジ付き容器
２０．フランジ部外周
２０Ｓ．フランジ部外周に内包する正方形
３０．胴部外周
３０Ｓ．胴部外周に内包する正方形
４０．おまけ
【図１】
0005992140.tif 000002
【図２】
0005992140.tif 000003
【図３】
0005992140.tif 000004
【図４】
0005992140.tif 000005
【図５】
0005992140.tif 000006
【図６】
0005992140.tif 000007
【図７】
0005992140.tif 000008
【図８】
0005992140.tif 000009
【図９】
0005992140.tif 000010
【図１０】
0005992140.tif 000011